(57)【要約】【課題】フィルタを取り替えることが必要ないモジュール化フィルタを提供すること。【解決手段】回路板に帯域平滑回路が設けてあり、前記回路板がケーシング内に設置され、前記ケーシングには、前記回路板の帯域平滑回路に応じて入力端と出力ピンとがそれぞれ設けてあり、且つ前記ケーシング内には前記回路板の帯域平滑回路に応じて仕切板が凸設してあり、全体がモジュール化されたことを特徴とするモジュール化フィルタ。【選択図】図１
0003139729.tif 000002
【実用新案登録請求の範囲】
【請求項１】
回路板に帯域平滑回路が設けてあり、
前記回路板がケーシング内に設置され、
前記ケーシングには、前記回路板の帯域平滑回路に応じて入力端と出力ピンとがそれぞれ設けてあり、且つ前記ケーシング内には前記回路板の帯域平滑回路に応じて仕切板が凸設してあり、全体がモジュール化されたことを特徴とする、
モジュール化フィルタ。
【請求項２】
回路板に帯域平滑回路とローパス平滑回路とが設けてあり、
前記回路板がケーシング内に設置され、
前記ケーシングには、前記回路板の帯域平滑回路およびローパス平滑回路に応じて入力端と出力ピンと出力端とがそれぞれ設けてあり、且つ前記ケーシング内には前記回路板の各平滑回路に応じて仕切板が凸設してあり、全体がモジュール化されたことを特徴とする、
モジュール化フィルタ。
【請求項３】
回路板にハイパス平滑回路とローパス平滑回路とが設けてあり、
前記回路板がケーシング内に設置され、
前記ケーシングには、前記回路板のハイパス平滑回路およびローパス平滑回路に応じて入力端と出力ピンと出力端とがそれぞれ設けてあり、且つ前記ケーシング内には前記回路板の各平滑回路に応じて仕切板が凸設してあり、全体がモジュール化されたことを特徴とする、
モジュール化フィルタ。
【考案の詳細な説明】
【技術分野】
【０００１】
本考案は、モジュール化フィルタに係り、特に、家庭用同軸ケーブルにて伝送される各種類の信号の処理に使用されるフィルタをモジュール化することにより、家庭用同軸ケーブル使用のルータをテレビ又は各種類のデジタルマルチメディア機器に連接するときに、フィルタを取り替えることが必要ないモジュール化フィルタに関するものである。
【背景技術】
【０００２】
目下、科学技術の進展に伴い、デジタル製品がパソコンおよびマルチメディア機器と結合することは将来の家庭用マルチメディアルータの発展の成り行きである。
現在の家庭ネットワーク連接技術の発展の成り行きにおいて、無線ＬＡＮ（Wireless Local Area Network,WLAN）技術の他に、超高周波（ＵＷＢ）、電力ケーブルネットワーク（HomePlug）、同軸ケーブルマルチメディア連盟（Multimedia over Coax Alliance,MoCA）などのネットワーク技術がある。
同軸ケーブルマルチメディア連盟は、２００４年１月に、ケーブルテレビ業者と衛星テレビ業者とネットワーク機器メーカとから組成された技術連盟である。主に、テレビ及びデジタルマルチメディア機器に家庭用同軸ケーブルを連結することを推進することにより、同軸ケーブルマルチメディア連盟（MoCA）のネットワーク技術に通じて、電話、ネットワーク、ケーブルテレビ（CATV）（Satellite Master Antenna Television System,SMATV）と無線ＬＡＮ（WLAN）などを一本の同軸ケーブルで利用可能にし、これにより、国民の生活が更に便利になる。
【考案の開示】
【考案が解決しようとする課題】
【０００３】
しかしながら、同軸ケーブルマルチメディア連盟（MoCA）のネットワーク技術によって、電話、ネットワーク、ケーブルテレビ（CATV）（Satellite Master Antenna Television System,SMATV）と無線LAN（WLAN）などを一本の同軸ケーブルで利用することが可能にはなるが、同軸ケーブルにて各種類の信号を伝送してマルチメディアルータに入力した後、異なる平滑効果を持つフィルタにて信号を平滑させて必要な周波数を得ると共に、同軸ケーブルマルチメディア連盟（MoCA）の規定された仕事周波数975MHz〜1525MHzを切り取ることも必要となる。そうすると、マルチメディアルータがテレビ又は各種類のデジタルマルチメディア機器に連接しようとする場合には、異なるフィルタを使用することが必要であり、マルチメディアルータの使用は極めて不便であった。
【課題を解決するための手段】
【０００４】
上記目的を達成するためになされた本願の考案は、回路板に帯域平滑回路が設けてあり、前記回路板がケーシング内に設置され、前記ケーシングには、前記回路板の帯域平滑回路に応じて入力端と出力ピンとがそれぞれ設けてあり、且つ前記ケーシング内には前記回路板の帯域平滑回路に応じて仕切板が凸設してあり、全体がモジュール化されたことを特徴とするモジュール化フィルタであることを要旨としている。
【０００５】
本願の考案では、回路板に帯域平滑回路とローパス平滑回路とが設けてあり、前記回路板がケーシング内に設置され、前記ケーシングには、前記回路板の帯域平滑回路およびローパス平滑回路に応じて入力端と出力ピンと出力端とがそれぞれ設けてあり、且つ前記ケーシング内には前記回路板の各平滑回路に応じて仕切板が凸設してあり、全体がモジュール化されたことを特徴とするモジュール化フィルタであることを要旨としている。
【０００６】
本願の考案では、回路板にハイパス平滑回路とローパス平滑回路とが設けてあり、前記回路板がケーシング内に設置され、前記ケーシングには、前記回路板のハイパス平滑回路およびローパス平滑回路に応じて入力端と出力ピンと出力端とがそれぞれ設けてあり、且つ前記ケーシング内には前記回路板の各平滑回路に応じて仕切板が凸設してあり、全体がモジュール化されたことを特徴とするモジュール化フィルタであることを要旨としている。
【考案の効果】
【０００７】
本考案のモジュール化フィルタによれば、家庭用同軸ケーブル使用のルータをテレビ又は各種類のデジタルマルチメディア機器に連接するときに、フィルタを取り替えることが必要ないという効果を有する。
【考案を実施するための最良の形態】
【０００８】
以下、添付図面を参照して本考案の好適な実施の形態を詳細に説明する。
【実施例】
【０００９】
図１及び図２を参照する。図１は本考案の構成を示す概略図であり、図２は本考案の外観を示す概略図である。本考案のモジュール化フィルタは、回路板１に帯域平滑回路１１が設けてあり、前記回路板１がケーシング２内に設置され、前記ケーシング２には、前記回路板１の帯域平滑回路１１に応じて入力端２１と出力ピン２２とがそれぞれ設けてあり、これにより、全体がモジュール化された。
【００１０】
図３及び図４を参照する。図３は本考案の実施例２の構成を示す概略図であり、本考案の実施例２のモジュール化フィルタは、回路板に帯域平滑回路とローパス平滑回路とが設けてあり、前記回路板がケーシング内に設置され、前記ケーシングには、前記回路板の帯域平滑回路およびローパス平滑回路に応じて入力端と出力ピンと出力端とがそれぞれ設けてあり、これにより、全体がモジュール化された。図４は本考案の実施例３の構成を示す概略図であり、本考案の実施例３のモジュール化フィルタは、回路板にハイパス平滑回路とローパス平滑回路とが設けてあり、前記回路板がケーシング内に設置され、前記ケーシングには、前記回路板のハイパス平滑回路およびローパス平滑回路に応じて入力端と出力ピンと出力端とがそれぞれ設けてあり、これにより、全体がモジュール化された。
【００１１】
図６を参照する。図６は本考案に係る仕切板の構成を示す概略図であり、本考案は、ケーシング２内に回路板１の各平滑回路に応じて仕切板２４を設けてもよく、前記仕切板２４により、各回路同士のノイズによる外乱を防止可能である。
【００１２】
このように、本考案のモジュール化されたフィルタのケーシング２をマルチメディアルータ内に設けて、入力端２１に同軸ケーブルを電気的に連接し、出力ピン２２にマルチメディアルータ内の他の回路を電気的に連接し、出力端２３にテレビを電気的に連接すると、家庭用同軸ケーブル使用のルータをテレビ又は各種類のデジタルマルチメディア機器に連接するときに、フィルタを取り替えることが必要なくなり、且つ同軸ケーブルマルチメディア連盟（MoCA）の使用スペックに合うことができる。
【００１３】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【００１４】
上記の説明から明らかなように、本考案を従来のものと比較すると、本考案は帯域平滑回路、ハイパス平滑回路やローパス平滑回路などをケーシング内にモジュール化され、これにより、マルチメディアルータの作製コストを降下可能であり、且つ組付工数を降下可能であり、そして本考案に係るモジュール化されたフィルタのケーシング２をマルチメディアルータ内に設けて、入力端２１に同軸ケーブルを電気的に連接し、出力ピン２２にマルチメディアルータ内の他の回路を電気的に連接し、出力端２３にテレビを電気的に連接すると、家庭用同軸ケーブル使用のルータをテレビ又は各種類のデジタルマルチメディア機器に連接するときに、フィルタを取り替えることが必要なくなる。
【図面の簡単な説明】
【００１５】
【図１】本考案の構成を示す概略図である。
【図２】本考案の外観を示す概略図である。
【図３】本考案の実施例２の構成を示す概略図である。
【図４】本考案の実施例３の構成を示す概略図である。
【図５】本考案の実施状態を示す外観図である。
【図６】本考案に係る仕切板の構成を示す概略図である。
【符号の説明】
【００１６】
１        回路板
２        ケーシング
１１      帯域平滑回路
１２      ハイパス平滑回路
１３      ローパス平滑回路
２１      入力端
２２      出力ピン
２３      出力端
２４      仕切板
【図１】
0003139729.tif 000003
【図２】
0003139729.tif 000004
【図３】
0003139729.tif 000005
【図４】
0003139729.tif 000006
【図５】
0003139729.tif 000007
【図６】
0003139729.tif 000008